【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
交換可能なパンチ部材を用いてシートに穿孔処理を行う第１の装置と、前記第１の装置により穿孔されたシートの穴に綴じ部材が挿入された製本物を生成する綴じ処理を行う第２の装置とを接続可能な画像形成装置であって、
印刷設定画面を表示する表示手段と、
前記第１の装置が有するパンチ部材が前記第２の装置が使用する綴じ部材に対応しているか否かを判断し、前記第１の装置が有するパンチ部材が前記第２の装置が使用する綴じ部材に対応してない場合、前記印刷設定画面において、前記第２の装置を使用する製本設定が選択されないように前記表示手段を制御する制御手段と、
を備えることを特徴とする画像形成装置。
【請求項２】
交換可能なパンチ部材を用いてシートに穿孔処理を行う第１の装置と、前記第１の装置により穿孔されたシートの穴に綴じ部材が挿入された製本物を生成する綴じ処理を行う第２の装置とを接続可能な画像形成装置であって、
所定のジョブを受信する受信手段と、
受信した前記所定のジョブに前記綴じ部材を用いた綴じ処理を行う指定がなされている場合、前記第１の装置が有するパンチ部材が前記第２の装置が使用する綴じ部材に対応しているか否かを判断し、前記第１の装置が有するパンチ部材が前記第２の装置が使用する綴じ部材に対応していない場合、前記画像形成装置が前記所定のジョブを実行しないよう制御する制御手段と、
を備えることを特徴とする画像形成装置。
【請求項３】
前記第１の装置が有するパンチ部材が前記第２の装置が使用する綴じ部材に対応していない場合、前記第１の装置に装着されるパンチ部材の交換を促すことを表示する表示手段と、
前記制御手段は、前記所定のジョブの実行を禁止した後、交換されたパンチ部材が前記第２の装置が使用する綴じ部材に対応している場合、受け付ける指示に従い、前記所定のジョブの中止、または続行を制御することを特徴とする請求項２に記載の画像形成装置。
【請求項４】
前記制御手段は、前記第１の装置に装着されたパンチ部材の仕様と、前記第２の装置が仕様する綴じ部材の仕様とを比較することにより、前記第１の装置が有するパンチ部材が前記第２の装置が使用する綴じ部材に対応しているか否かを判断することを特徴とする請求項１又は２に記載の画像形成装置。
【請求項５】
前記所定のジョブは、ネットワークを介して受信したデータを印刷する印刷ジョブ或いは、前記画像形成装置が有する画像読取装置から受信したデータを印刷するコピージョブを含むことを特徴とする請求項２又は３に記載の画像形成装置。
【請求項６】
シートに画像を形成する画像形成装置と、
前記画像形成装置により画像が形成されたシートに対して、交換可能なパンチ部材を用いてシートに穿孔処理を行う第１の装置と、
前記第１の装置により穿孔されるシートを積載した後、穿孔された穴に綴じ部材の凸部が挿入された製本物を生成する綴じ処理を行う第２の装置と、
を有する画像形成システムであって、
印刷設定画面を表示する表示手段と、
前記第１の装置が有するパンチ部材が前記第２の装置が使用する綴じ部材に対応しているか否かを判断し、前記第１の装置が有するパンチ部材が前記第２の装置が使用する綴じ部材に対応していない場合、印刷設定画面において、前記第２の装置を使用する製本設定が選択されないように前記表示手段を制御する制御手段と、
を備えることを特徴とする画像形成システム。
【請求項７】
シートに画像を形成する画像形成装置と、
前記画像形成装置により画像が形成されたシートに対して、交換可能なパンチ部材を用いてシートに穿孔処理を行う第１の装置と、
前記第１の装置により穿孔されるシートを積載した後、穿孔された穴に綴じ部材の凸部が挿入された製本物を生成する綴じ処理を行う第２の装置と、
を有する画像形成システムであって、
所定のジョブを受信する受信手段と、
受信した前記所定のジョブに前記綴じ部材を用いた綴じ処理を行う指定がなされている場合、前記第１の装置が有するパンチ部材が前記第２の装置が使用する綴じ部材に対応しているか否かを判断し、前記第１の装置が有するパンチ部材が前記第２の装置が使用する綴じ部材に対応していない場合、前記画像形成装置が前記所定のジョブを実行しないよう制御する制御手段と、
を備えることを特徴とする画像形成システム。
【請求項８】
交換可能なパンチ部材を用いてシートに穿孔処理を行う第１の装置と、前記第１の装置により穿孔されるシートを積載した後、穿孔された穴に綴じ部材の凸部が挿入された製本物を生成する綴じ処理を行う第２の装置とを接続する画像形成装置に印刷ジョブを送信する情報処理装置であって、
送信するべき前記印刷ジョブに前記シートに製本処理を行う指定がなされている場合、前記第１の装置が有するパンチ部材が前記第２の装置が使用する綴じ部材に対応しているか否かを前記画像形成装置から取得する情報に基づいて判断し、前記第１の装置が有するパンチ部材が前記第２の装置が使用する綴じ部材に対応していない場合、前記綴じ処理が指定された印刷ジョブを前記画像形成装置に送信しないように制御する制御手段と、
を備えることを特徴とする情報処理装置。
【請求項９】
交換可能なパンチ部材を用いてシートに穿孔処理を行う第１の装置と、前記第１の装置により穿孔されるシートを積載した後、穿孔された穴に綴じ部材の凸部が挿入された製本物を生成する綴じ処理を行う第２の装置とを接続する画像形成装置に印刷ジョブを送信する情報処理装置であって、
前記製本物を生成するための製本設定を受け付ける設定画面を表示する表示手段と、
前記第１の装置が有するパンチ部材が前記第２の装置が使用する綴じ部材に対応しているか否かを前記画像形成装置から取得する情報に基づいて判断し、前記第１の装置が有するパンチ部材が前記第２の装置が使用する綴じ部材に対応していない場合、前記設定画面を表示しないように前記表示手段を制御する制御手段と、
を備えることを特徴とする情報処理装置。
【請求項１０】
交換可能なパンチ部材を用いてシートに穿孔処理を行う第１の装置と、
前記第１の装置により穿孔されるシートを積載した後、穿孔された穴に綴じ部材の凸部が挿入された製本物を生成する綴じ処理を行う第２の装置と、
を接続する画像形成装置に印刷ジョブを送信する情報処理装置の制御方法であって、
前記第１の装置が有するパンチ部材が前記第２の装置が使用する綴じ部材に対応しているか否かを前記画像形成装置から取得する情報に基づいて判断する判断工程と、
前記第１の装置が有するパンチ部材が前記第２の装置が使用する綴じ部材に対応していない場合、前記綴じ処理が指定された印刷ジョブを前記画像形成装置へ送信しないように制御する制御工程と、を備えることを特徴とする情報処理装置の制御方法。
【請求項１１】
交換可能なパンチ部材を用いてシートに穿孔処理を行う第１の装置と、
前記第１の装置により穿孔されるシートを積載した後、穿孔された穴に綴じ部材の凸部が挿入された製本物を生成する綴じ処理を行う第２の装置と、
を接続する画像形成装置に印刷ジョブを送信する情報処理装置の制御方法であって、
前記製本物を生成するための製本設定を受け付ける設定画面を表示する表示工程と、
前記第１の装置が有するパンチ部材が前記第２の装置が使用する綴じ部材に対応しているか否かを前記画像形成装置から取得する情報に基づいて判断する判断工程と、
前記第１の装置が有するパンチ部材が前記第２の装置が使用する綴じ部材に対応していない場合、前記設定画面を表示しないように制御する制御工程と、
を備えることを特徴とする情報処理装置の制御方法。
【請求項１２】
請求項１０又は１１に記載の情報処理装置の制御方法をコンピュータに実行させることを特徴とするプログラム。
【請求項１３】
請求項１０又は１１に記載の情報処理装置の制御方法をコンピュータに実行させるプログラムを記憶した記憶媒体。
【請求項１４】
交換可能なパンチ部材を用いてシートに穿孔処理を行う第１の装置と、前記第１の装置により穿孔されたシートの穴に綴じ部材が挿入された製本物を生成する綴じ処理を行う第２の装置とを接続可能な画像形成装置の制御方法であって、
印刷設定画面を表示手段に表示する表示工程と、
前記第１の装置が有するパンチ部材が前記第２の装置が使用する綴じ部材に対応しているか否かを判断し、前記第１の装置が有するパンチ部材が前記第２の装置が使用する綴じ部材に対応してない場合、前記印刷設定画面において、前記第２の装置を使用する製本設定が選択されないように前記表示手段を制御する制御工程と、
を備えることを特徴とする画像形成装置の制御方法。
【請求項１５】
交換可能なパンチ部材を用いてシートに穿孔処理を行う第１の装置と、前記第１の装置により穿孔されたシートの穴に綴じ部材が挿入された製本物を生成する綴じ処理を行う第２の装置とを接続可能な画像形成装置の制御方法であって、
所定のジョブを受信する受信工程と、
受信した前記所定のジョブに前記綴じ部材を用いた綴じ処理を行う指定がなされている場合、前記第１の装置が有するパンチ部材が前記第２の装置が使用する綴じ部材に対応しているか否かを判断し、前記第１の装置が有するパンチ部材が前記第２の装置が使用する綴じ部材に対応していない場合、前記画像形成装置が前記所定のジョブを実行しないよう制御する制御工程と、
を備えることを特徴とする画像形成装置の制御方法。
【請求項１６】
請求項１４又は１５に記載の画像形成装置の制御方法をコンピュータに実行させることを特徴とするプログラム。
【請求項１７】
請求項１４又は１５に記載の画像形成装置の制御方法をコンピュータに実行させるプログラムを記憶した記憶媒体。
【手続補正２】
【補正対象書類名】明細書
【補正対象項目名】０００８
【補正方法】変更
【補正の内容】
【０００８】
上記目的を達成する本発明の画像形成装置は以下に示す構成を備える。
交換可能なパンチ部材を用いてシートに穿孔処理を行う第１の装置と、前記第１の装置により穿孔されたシートの穴に綴じ部材が挿入された製本物を生成する綴じ処理を行う第２の装置とを接続可能な画像形成装置であって、印刷設定画面を表示する表示手段と、前記第１の装置が有するパンチ部材が前記第２の装置が使用する綴じ部材に対応しているか否かを判断し、前記第１の装置が有するパンチ部材が前記第２の装置が使用する綴じ部材に対応してない場合、前記印刷設定画面において、前記第２の装置を使用する製本設定が選択されないように前記表示手段を制御する制御手段と、を備えることを特徴とする。
さらに、上記目的を達成する本発明の情報処理装置は以下に示す構成を備える。
交換可能なパンチ部材を用いてシートに穿孔処理を行う第１の装置と、前記第１の装置により穿孔されるシートを積載した後、穿孔された穴に綴じ部材の凸部が挿入された製本物を生成する綴じ処理を行う第２の装置とを接続する画像形成装置に印刷ジョブを送信する情報処理装置であって、送信するべき前記印刷ジョブに前記シートに製本処理を行う指定がなされている場合、前記第１の装置が有するパンチ部材が前記第２の装置が使用する綴じ部材に対応しているか否かを前記画像形成装置から取得する情報に基づいて判断し、前記第１の装置が有するパンチ部材が前記第２の装置が使用する綴じ部材に対応していない場合、前記綴じ処理が指定された印刷ジョブを前記画像形成装置に送信しないように制御する制御手段と、を備えることを特徴とする。
【手続補正３】
【補正対象書類名】明細書
【補正対象項目名】００１３
【補正方法】変更
【補正の内容】
【００１３】
図１は、本実施形態を示すシート後処理装置を有する画像形成システムの構成を示す構成図である。本実施形態では画像形成装置の一例としてＭＦＰ(Multi Function Peripheral)101を、印刷ジョブを生成するホスト装置の一例としてＰＣ102を説明する。ＭＦＰ101とＰＣ102はネットワーク100を介して通信可能に接続されている。ＰＣ103は情報処理装置であって、ネットワーク100から印刷ジョブを受信して、ＭＦＰ１０１に送信する。なお、本例は、１つのＭＦＰとして構成する場合を示すが、それぞれの装置が通信する印刷システムとして構成することも可能である。また、印刷システムとしては、複数のＭＦＰ101と複数のホスト装置がネットワーク100を介して通信可能に接続されていてもよい。また、本実施形態の印刷システムは、画像形成装置とホスト装置を含む場合を例示しているが、これに限定されるものではない。例えば、画像形成装置を印刷処理システムとしてもよい。さらには、ＭＦＰ101単独で実行可能な画像形成処理、例えばコピージョブ等の実行においてはネットワーク100に接続される装置は不要な構成としても構わない。なお、以下の説明において、印刷ジョブには、コピージョブも含まれるものとする。
【手続補正４】
【補正対象書類名】明細書
【補正対象項目名】００９２
【補正方法】変更
【補正の内容】
【００９２】
S1001では、制御部205は操作者からの入力および接続機器からの通信を待機する。操作者から入力を受け付けた、または接続機器から通信を受けつけた場合、制御部205は、処理をS1002に進める。一方、入力、通信がないと制御部205が判断した場合、制御部205はS1001で次の処理を待機する。
S1002では、制御部205はS1001で受け付けた接続機器からの通信が、外部Ｉ/Ｆ202を介した印刷ジョブの受け付けであるか否かを判断する。ここで、印刷ジョブを受け付けたと制御部205が判断した場合には、制御部205は、処理をS1003に進め、印刷ジョブを受け付けていないと制御部205が判断した場合には、制御部205は、処理をS1005に進める。